(57)【特許請求の範囲】
【請求項１】
支持フレームと；該支持フレームと関連して各々が弾性的に固定され、右手のブローを受けるためにボクサーの右側の方へ角度をつけられる表面を有する複数の高さに位置する複数のパッドを含む第１の一連のパッドと；該支持フレームと関連して各々が弾性的に連結され、左手のブローを受けるためにボクサーの左側の方へ角度をつけられる表面を有する複数の高さに位置する複数のパッドを含む第２の一連のパッドと；該第１および第２の一連のパッドの各々からのパッドを含み、凹状の中心の打撃領域を定める第１の配置のパッドと；該第１および第２の一連のパッドの各々からのパッドを含み、凸状の打撃面を定める第２の配置のパッドと；を含み、該第２の配置のパッドは、該凸状の打撃面を形成している第１および第２の側面部を有する単一の中央にパッドを入れた配置を含み、前記第２の配置が左右の打撃を受けるためにボクサーの方へ導かれる前面部を含み、前記前面部は前記第１および第２の側面部の間に位置し、前記前面部が、その上端部がボクサーに近づくように垂直に対して所定の角度で傾斜して配置され、前記第２の配置は、上面部がヘッドサポートとして使われるまたは下方へ導かれたエルボーブローを受けることができるように、前記前面部の方に下方へ角度をつけられる前記第１および第２の側面部間で延長している上面部を含む、ボクシング・トレーニング装置。
【請求項２】
前記パッドが、弾力的な連結を提供するためにバネ部材を各々含むアーム部材によって前記支持フレームに固着され、前記第２の配置は、単一のアーム部材によって該支持フレームに固着する、請求項１に記載のボクシング・トレーニング装置。
【請求項３】
前記第２の配置を連結している前記単一のアーム部材が、前記支持フレームから下方へ角度をつけられる、請求項２に記載のボクシング・トレーニング装置。
【請求項４】
前記第１の側面部が右の強打を受けるための第１の右範囲と、右フックを受けるための第１の右範囲の後ろに位置する第２の右範囲とを含み、前記第２の側面部が左の強打を受けるための第１の左範囲と、左フックを受けるための第１の左範囲の後ろに位置する第２の左範囲とを含む、請求項１から３のいずれか１つに記載のボクシング・トレーニング装置。
【請求項５】
前記第１の配置のパッドが、ヘッドの高さのパンチを含む一連の打撃を受けるために配置される、請求項１から４のいずれか１つに記載のボクシング・トレーニング装置。
【請求項６】
第３の配置のパッドは好ましくは、前記装置の前の中央の位置に立っているユーザからの左右の強打を含む一連の打撃を受けるため、前記第２の配置のパッドの下で提供される、請求項５記載のボクシング・トレーニング装置。
【請求項７】
各々のパッドがプレート部材に取付けられ、前記バネ部材が該プレート部材と前記アーム部材との間で提供される、請求項２から６のいずれか１つに記載のボクシング・トレーニング装置。
【請求項８】
各々のバネ部材がコイルバネを含む、請求項７記載のボクシング・トレーニング装置
【請求項９】
前記第１の配置が、右オーバーハンドおよび右フックパンチを受けるために配置される第１のパッドと、右ストレートパンチを受けるための第２のパッドと、左ストレートパンチを受けるための第３のパッドと、左オーバーハンドおよび左フックパンチを受けるための第４のパッドとを含む、請求項５から８のいずれか１つに記載のボクシング・トレーニング装置。
【請求項１０】
前記第１および第４のパッドが、前記第２および第３のパッドの外側により低く配置される、請求項９記載のボクシング・トレーニング装置
【請求項１１】
前記第１、第２、第３および第４のパッドの各々は、それぞれのアーム部材によって前記支持フレームに連結される、請求項９または１０記載のボクシング・トレーニング装置。
【請求項１２】
前記第３の配置が、互いに一般に離れて延長するそれぞれのアーム部材に提供された第１および第２のパッドを含み、該第１のパッドは右強打を受けるために配置され、該第２のパッドは左強打を受けるために配置される、請求項６から１１のいずれか１つに記載のボクシング・トレーニング装置。
【請求項１３】
前記第３の配置が、前記スリーブ上に前記第１および第２のパッドの間で取付けられた第３のパッドを含み、該第３のパッドは、左右の強打およびプッシュキックを含む打撃を受ける、請求項１２記載のボクシング・トレーニング装置。
【請求項１４】
前記アーム部材が前記支持フレームから着脱可能であり、該アーム部材は前記パッドから離れた端部で連結プレートを備え、該連結プレートは、該支持フレームに固定可能な固定ボルトを受けるために孔をその中で有する、請求項２から１３のいずれか１つに記載のボクシング・トレーニング装置。
【請求項１５】
前記支持フレームが地面に固定される垂直ポストを含む、請求項１から１４のいずれか１つに記載のボクシング・トレーニング装置。
【請求項１６】
スリーブが前記ポストを受けるために提供され、前記装置の前記アーム部材は該スリーブに固着し、該スリーブは、前記パッドの高さを調整するために該ポストの上下で摺動可能である、請求項１５記載のボクシング・トレーニング装置。
【請求項１７】
前記スリーブが、前記ポストと関連して該スリーブを固着するため前記ポストにおける開口で受け取り可能な取り付けピンを含む、請求項１６記載のボクシング・トレーニング装置。
【発明の詳細な説明】
【技術分野】
【０００１】
本発明は、特にボクシングのためのものを含むトレーニング装置および方法に関するものである。
【背景技術】
【０００２】
ボクシングにおける一般的なトレーニング・エクササイズは、トレーナに保持されるパッドを叩くことを含む。パッドは、ボクサーが様々なパンチを練習することができるようにトレーナによって異なる位置の間で動かされる。
【０００３】
この種のトレーニングが役に立ちかつ有効である一方で、それは、トレーナとの接触を必要とし、したがって、トレーナと接触できない場合、使うことができない。またトレーナと接触することができるジムにおいても、限られた数の参加者しか一度にこの種のトレーニングを使用することができない。
【０００４】
さらに、この種のトレーニングを提供しているトレーナは多くの場合、この種のパンチ・パッドの使用と関連した反復されるストレスにさらされる。パッドを上に保持してパンチの衝撃を受けることにより、トレーナの腕の関節にストレスが加わり、長期的に見て、特にトレーナの肩に重大な外傷を引き起こす可能性がある。
【０００５】
例えばバッグまたはパッドを入れられた人型の装置のようにパンチ・パッドで練習することができるエクササイズ装置が存在する一方、これらの装置は、パッドを保持しているトレーナによって実行されるエクササイズを特によく再現しない。
【０００６】
本発明が開発されたのはこういう背景、それに関連する問題および障害においてである。
【０００７】
この明細書の従来技術への参照は図示する目的のみのために提供され、そのような従来技術がオーストラリアまたはどこか他の所における共通の一般認識の一部であるという承認として受け取られるものではない。
【発明の概要】
【課題を解決するための手段】
【０００８】
本発明の第１の態様によればボクシング・トレーニング装置は、支持フレームと；支持フレームと関連して各々が弾性的に固定され、右手のブローを受けるためにボクサーの右側の方へ角度をつけられる表面を有する複数の高さに位置する複数のパッドを含む第１の一連のパッドと；支持フレームと関連して各々が弾性的に連結され、左手のブローを受けるためにボクサーの左手側の方へ角度をつけられる表面を有する複数の高さに位置する複数のパッドを含む第２の一連のパッドと；第１および第２の一連のパッドの各々からのパッドを含み、凹状の内側の打撃領域を定める第１の配置のパッドと；第１および第２の一連のパッドの各々からのパッドを含み、凸状の打撃面を定める第２の配置のパッドと；を含み、第２の配置のパッドは、凸状の打撃面を形成している第１および第２の側面部を有する単一の中央にパッドを入れた配置を含む。
【０００９】
好ましくは、第２の配置は、左右の打撃を受けるためにボクサーの方へ導かれる前面部を含み、前面部は第１および第２の側面部の間に位置する。前面部は、前面部がアッパーカットを受けるためにその上端部がボクサーにより近いように垂直に好ましくは角度をつけられる。
【００１０】
好ましい実施態様において、パッドは、弾力的な連結を提供するためにバネ部材を各々含むアーム部材によって支持フレームに固着され、第２の配置は、単一のアーム部材によって支持フレームに固着する。
【００１１】
好ましくは、第２の配置は、上面部がヘッドサポートとして使われるまたは下方へ導かれたエルボーブローを受けることができるように、前面部の方に下方へ角度をつけられる第１および第２の側面部間で延長している上面部を含む。好ましくは、第２の配置を連結している単一のアーム部材は、支持フレームから下方へ角度をつけられる。
【００１２】
一実施態様において、第１の側面部は右の強打を受けるための第１の右範囲と、右フックを受けるための第１の右範囲の後ろに位置する第２の右範囲とを含み、第２の側面部は左の強打を受けるための第１の左範囲と、左フックを受けるための第１の左範囲の後ろに位置する第２の左範囲とを含む。
【００１３】
好ましくは、パッドは、ヘッドの高さのパンチを含む一連の打撃を受けるために位置する第１の配置のパッドと、ボディの高さのパンチを含む一連の打撃を受けるために位置する第２の配置のパッドとを含む。第３の配置のパッドは好ましくは、装置の前の中央の位置に立っているユーザからの左右の強打を含む一連の打撃を受けるため、第２の配置のパッドの下で提供される。
【００１４】
各々のパッドは、プレート部材に取付けられ、バネ部材はプレート部材とアーム部材との間で提供される。一実施態様において、バネ部材は、コイルバネを含む。
【００１５】
好ましい実施態様において、第１の配置は、右オーバーハンドおよび右フックのパンチを受けるために配置された第１のパッドと、右ストレートのパンチを受けるための第２のパッドと、左ストレートのパンチを受けるための第３のパッドと、左オーバーハンドおよび左フックのパンチを受けるための第４のパッドとを含む。第１および第４のパッドは好ましくは外側に配置され、第２および第３のパッドより低い。第１、第２、第３および第４のパッドの各々は、それぞれのアーム部材によって好ましくは支持フレームに連結される。
【００１９】
一実施態様において、第３の配置は、互いに一般に離れて延長しているそれぞれのアーム部材に提供される第１および第２のパッドを含み、第１のパッドは右の強打を受けるために配置され、第２のパッドは左の強打を受けるために配置される。一実施態様において、第３の配置はスリーブ上の第１および第２のパッドの間で取付けられる第３のパッドを含み、第３のパッドは、左右の強打およびプッシュキックを含む打撃を受ける。
【００２０】
好ましい実施態様において、アーム部材は支持フレームから着脱可能である。アーム部材は、パッドから遠い端部で連結プレートを好ましくは備え、連結プレートは、支持フレームに固定可能な固定ボルトを受けるための孔をその中で有している。
【００２１】
支持フレームは、地面に固定される垂直ポストを含む。スリーブはポストを受けるために提供され、装置のアーム部材はスリーブに固着し、スリーブは、パッドの高さを調整するために上下に摺動可能である。スリーブは、ポストと関連してスリーブを固定するため、ポストの開口において受けることができる固定ピンを含む。
【００２２】
下記に詳述されるように、本発明の好ましい形態は、以下の構成を提供する：
（ｉ）肩、肘および手首の範囲の広範囲の外傷からトレーナを保護する一方で、集中したパッド・タイプのトレーニングを可能にするトレーニング・バッグ。
（ｉｉ）外傷のために前もってトレーナがボクサーのトレーニングに適さないと考える、または、別途、ボクシングの職業に再入門して、技術、情報および経験の利点を練習生に提供するのを可能にするトレーニング装置。
（ｉｉｉ）パンチバッグおよびアッパーカットバッグでのトレーニングに対するものとして、集中したパッド・トレーニングを練習生に提供するようにトレーナを促進するトレーニング装置。この性質のバッグは一般に、集中したパッドを用いたセッションの現実感および興奮を再形成することができない。
（ｉｖ）あたかも直立した人のヘッドを狙うようにストレート右、左、オーバーハンドまたはフックを出す場合、練習生の手を望ましい高さに維持することを強制するトレーニング装置。
（ｖ）トレーナがボクサーから離れて、後方から異なる角度で彼らの技術を観察することができるトレーニング装置。これにより好都合にも、練習生がパンチを出している間、トレーナは足、脚、肘、肩およびヘッドを調整することができる。
（ｖｉ）トレーニングに必要とされるトレーナの数を減らし、ボクシングに不慣れなトレーナに適しているトレーニング装置。
（ｖｉｉ）東西南北の構成で背中合わせに４つの装置を配置し、同時に４人のボクサーを訓練するグループクラスを有するフィットネス組織およびプライベートジム。
（ｖｉｉｉ）集中したパッド・セッションの間のパンチの数およびパンチの衝撃の圧力を計算するためのセンサが取り付けられた装置。
（ｉｘ）ボクサー、キックボクサー、アルティメット・ファイターおよび他の格闘家のトレーニングに理想的である装置。
【００２３】
文脈において別途必要とされる以外で明細書全体にわたって、「含む：ｃｏｍｐｒｉｓｅ」という語、または、その変形「（三人称単数現在形の）含む：ｃｏｍｐｒｉｓｅｓ」または「含んでいる：ｃｏｍｐｒｉｓｉｎｇ」という語は、明言された完全体または完全体の群の包含を示すが、他のいかなる完全体または完全体の群の排除を示さないと理解される。同様に「好ましくは：ｐｒｅｆｅｒａｂｌｙ」という語、または、その変形「好ましい：ｐｒｅｆｅｒｒｅｄ」という語は、その明言された完全体または完全体の群が望ましいものであるが、本発明の作用において本質的事項ではないことを示すと理解される。
【図面の簡単な説明】
【００２４】
本発明の性質は、添付の図面に関してほんの一例として示されるボクシング・トレーニング装置の以下の実施態様の詳細な説明からよりよく理解される。図面の説明は以下の通りである：
【図１】図１は、本発明のトレーニング装置の斜視図である；
【図２】図２は、図１に示されるトレーニング装置の正面図である；
【図３】図３は、図１に示されるトレーニング装置の側面図である；
【図４】図４は、図１に示されるトレーニング装置の上面図である；
【図５】図５は、キック・パッドの部品を示す図１に示されるトレーニング装置の正面図である；
【図６】図６は、本発明によるトレーニング装置のさらなる実施態様の正面図である；
【図７】図７は、図６のトレーニング装置の側面図である。
【発明を実施するための形態】
【００２５】
図を参照すると、本発明のボクシング・トレーニング装置１００が示される。装置１００は好都合にも、集中したパッド・トレーニングと関連した一般的な問題からトレーナを保護する一方で集中したパッドでのトレーニング・セッションと関連した興奮および現実感を再現することができると考えられる。
【００２６】
ボクシング・トレーニング装置１００は、支持フレーム１０１と、支持フレーム１０１から外側に延長している複数のアーム部材１０３とを含む。図示した実施態様において、支持フレーム１０１は、床面に下端で固定された垂直に取付けられたポスト１４８を含む。スリーブ１４９は、スリーブ１４９がポスト１４８と関連して上または下に摺動するように、ポスト１４８と同じ断面の形状を有し、ポスト１４８を受けるのに必要な大きさにされて提供される。各々のアーム部材１０３は、ポスト１４８の上または下へのスリーブ１４９の摺動によってアーム部材１０３の高さが調整されるようにスリーブ１４９に固定される。スリーブ１４９は、スリーブ１４９を適切な高さで保持するためにポスト１４８において提供される開口において受けられる固定ピン１５３を備える。
【００２７】
トレーニング装置１０のアーム部材１０３は、アーム部材１０３の外端部に隣接して固定されるパッド１０５を各々含む。プレート部材１０７（図３で分かるように）は、パッド１０５が固定される各々のアーム部材１０３の端で提供される。
【００２８】
各々のアーム部材１０３は、パッド１０５の打撃によりユーザが特定のパンチを練習することができるような位置において支持フレーム１０１と関連して取付けられる。さらに、各々のパッド１０５は、パッド１０５が支持フレーム１０１に関連して撓曲することができるように支持フレーム１０１と関連して弾性的に取付けられる。図示した実施態様において、弾力的な連結は、プレート部材１０７をアーム部材１０３に接続するバネ部材１０９によって提供される。バネ部材１０９は、パッド１０５をパンチする時の抵抗がパッドを保持しているトレーナによって適用されるそれに類似している剛性を有するように選ばれる。図示した実施態様においてプレート部材１０７とアーム部材１０３との間でバネ部材が提供される一方、バネ部材がアーム部材１０３の長さの他の場所で、または、パッド１０５と支持フレーム１０１との間の弾力的な連結を提供するためにアーム部材１０３と支持フレーム１０１との間で配置されることはいうまでもない。
【００２９】
図で分かるように、トレーニング装置１００は、右手のブローを受けるための第１の一連のパッド１１１を含む。第１の一連のパッドは、複数の高さで支持フレーム１０１と関連して取付けられた複数のパッド１０５を含む。第１の一組１１１のパッド１０５の各々は、ブローを受けるための表面を含む。第１の一組１１１のパッド１０５の表面は、ボクシング・トレーニング装置１００の前に立っているユーザの右手側の方へ各々角度をつけられる。第１の一組１１１のパッド１０５の各々はしたがって、右手のブローを受けるために向きを定められる。
【００３０】
トレーニング装置１００はまた、左手のブローを受けるための第２の一連のパッド１１３を含む。第２の一連のパッド１１３は、複数の高さで支持フレーム１０１と関連して取付けられた複数のパッド１０５を含む。第２の一組１１３のパッド１０５の各々は、ブローを受けるための表面を含む。第２の一組１１３のパッド１０５の表面は、ボクシング・トレーニング装置１００の前に立っているユーザの左手側の方へ各々角度をつけられる。第２の一組１１３のパッド１０５の各々はしたがって、左手のブローを受けるために向きを定められる。
【００３１】
図示した実施態様において、トレーニング装置１００は、第１の配置１０２のパッドと、第２の配置１０４パッドと、第３の配置１０６パッドとを含み、各々の配置は異なる高さに位置する。第１、第２および第３の配置の各々は、第１および第２の一連のパッド１１１および１１３の両方からのパッドを含む。第２の配置１０４は、第１の配置１０２と第３の配置１０６との間に配置される。
【００３２】
第１の配置１０２は、第１のパッド１０８と、第２のパッド１１０と、第３のパッド１１２と、第４のパッド１１４とを含む。パッド１０８から１１４の各々は、直径約２０ｃｍである。第１および第２のパッド１０８および１１０は装置１００の前に立っているボクサーの右側の方へ角度をつけられ、したがって、第１の一連のパッド１１１の部品を形成する。第３および第４のパッド１１２および１１４は装置１００の前に立っているボクサーの左側の方へ角度をつけられ、したがって、第２の一連のパッド１１３の部品を形成する。
【００３３】
パッド１０８から１１４は一緒に、パッドの各々の表面で構成される凹状の内側への打撃領域１１６を提供するように構成される。明らかであるように、パッド１０８から１１４は、ヘッドの高さのパンチを含む第１の一連の打撃を受けるように配置される。第１の一連の打撃は、左右のオーバーハンドおよびフックと同様に左右のストレートヒットを含む。
【００３４】
第１および第４のパッド１０８および１１４は、第２および第３のパッド１１０および１１２の外側により低く配置される。第１のパッド１０８は、右オーバーハンドおよび右フックのパンチを受けるために配置される。第２のパッド１１０は、右ストレートのパンチを受けるために配置される。第３のパッド１１２は、左ストレートのパンチを受けるために配置される。第４のパッド１１４は、左のオーバーハンドおよび左フックのパンチを受けるために配置される。
【００３５】
好都合にも第２の配置１０４は、第１の配置１０２の下で配置され、強打およびフックを含むボディの高さを含む第２の一連の打撃を受けるように適応される。
【００３６】
強打およびフックは、上面部１２０の下で第２の配置１０４の側部１１８に届けられる。上面部１２０は好都合にも、第２の配置の上を通過して第１の配置１０２を打つため、左右のオーバーハンドと同様に左右がストレートヒットを可能にするように第１の配置１０２に向けられる。第２の配置１０４は、望ましい高さの下から生じる第１の配置１０２の方へ導かれる打撃に対する障害を提供するために配置されるという事実は有効である。練習生ボクサーが多くの場合手を落とし、対戦者に彼のヘッドをパンチで打つ良い機会を提供してしまうので、これは好都合である。
【００３７】
練習生ボクサーの手が打撃領域１１６を打った後に上がる場合には、手を落とすことにより、彼らの手が上面部１２０と接触するようになる。しかしながら、練習生が装置１００から離れて手を落とす場合、彼らの手は上面部１２０と接触しない。それでもなお、練習生がそれから装置１００の方へ引き返し、手を上げずに打撃領域１１６の方へパンチを出そうとする場合、練習生ボクサーにはバリアを提供して第２の配置１０４が示される。練習生はそれゆえに、打撃領域１１６を打つ前に手を上げることを強制される。
【００３８】
第２の配置１０４は、それ自体で好都合である。明らかに図２に示される様に、第２の配置１０４は一連のパッド１２２の形でのパッドの配置１２１を含む。パッドの配置は、単一のアーム部材１２４によって支持フレーム１０１に固着する。図３に示すように、アーム部材１２４および関連するバネ部材は、パッドの配置１２１の後端部１２３からを延長する。
【００３９】
一連のパッド１２２は、第１の側面部１２８、第２の側面部１３０および前面部１２６を提供する。第１の側面部１２８は、右強打およびフックを含む第１の一連のヒット１５を受けるために構成され、第２の側面部１３０は、左強打およびフックを含む第２の一連のヒットを受けるために構成される。すなわち、第１の側面部１２８は第１の一連のパッド１１１の部品を形成し、第２の側面部１３０は第２の一連のパッド１１３の部品を形成する。前面部１２６は、前面部が左右のアッパーカットを含む第３の一連のヒットを受けるために使うことができるようにユーザの前に直接配置される。
【００４０】
アーム部材１２４は、パッドの配置１２１の後面部１３２から延長する。アーム部材１２４は、２つの側面部１２８および１３０と同様に前面部１２６から離れた方向においてパッドの配置１２１の本体から延長する。
【００４１】
アーム部材１２４および関連したバネ部材は、図に示される平常の状態になるようにパッド１２２に付勢する弾力的なバネ動作を提供するために好都合に構成される。これにより、それぞれの前および側面部に適用されると第１、第２および第３の一連のヒットから共に導かれる立て続けのヒットでパッド１２２が打たれるのが可能になる。
【００４２】
アーム部材１２４において提供されるバネ部材は、長さ約２８５ｍｍの弾力的なコイルバネの形である。弾力的なコイルバネは、１２ｍｍのピッチ、４９ｍｍの外側の直径、７９２９０の剪断弾性率および２０６８４３の弾性率を有する。この形状のバネが役立つ付勢動作を提供すると見られる一方で、他の配置は疑いなく明瞭であり、通常の取組みから直ちに導かれる。例えば、バネ部材は、コイルバネ以外の形状において提供されてもよい。
【００４３】
第１の側面部１２８は、第１の右範囲１３４および第２の右範囲１３６を含む。第１の右範囲１３４は右強打を受けるために配置され、第２の右範囲１３６は右フックを受けるために配置される。同様に、第２の側面部１３０は、それぞれ左強打およびフックを受けるため、第１の左範囲１３８および第２の左範囲１４０を含む。第２の左右の範囲１３６および１４０が第１の左右の範囲１３４および１３８の後ろに位置するならば、ボクサーは、通常の立て続けの打撃の間、装置１００から離れる必要はない。
【００４４】
上で述べたように、第２の配置１０４の前面部１２６は、左右のアッパーカットを受けるように好都合に提供される。前面部１２６は、第１の側面部１２８と第２の側面部１３０との間で配置される。第１の配置１０２と比較して、第２の配置１０４は、凸状の打撃面を提供する。障壁を提供するのを助け、トレーニングの間、練習生の手が落ちるのを防ぐように、第２の配置１０４は、分量１４２によって第１の配置１０２を越えて延長する。他の実施態様において、第２の配置１０４は第１の配置１０２へ類似した位置に延長する。
【００４５】
第２の右範囲１３６は、第１の右範囲１３４に２３°の角度で配置される。第２の右範囲１３６は前面部１２６に隣接し、前面部１２６と関連して５２°の角度で配置される。鏡像を提供する際に、前面部１２６は、第２の左範囲１４０に２３°で配置される第１の左範囲１３８と関連して５２°で配置される。
【００４６】
明瞭であるように、装置１００は利き手が左右両方のボクサーに適している。これにより、通常のボクサーおよびサウスポーのボクサーが直ちに装置を使うことができるので、トレーニングを補助することになる。
【００４７】
第２の配置１０４において、前面部１２６は、垂直に対して３９．５°の角度１５０で、第２の配置１０４が平常の状態である時、その上端部をボクサーにより近くに垂直に好都合にも傾けられる。この性質の角度において、アッパーカットでの前面部１２６への打撃は、前面部１２６と実質的に整列されるパンチの前面部を伴う。これは、練習生の手首にかかる衝撃およびストレスを減らすのに役立つ。範囲１３４から１４０の角度はまた、望ましい肘位置で正しく形作られた強打およびフックが出される場合のストレスを好都合にも減らす。
【００４８】
この特定の配置で、前面部１２６は、長さ約１９０ｍｍで幅８ｃｍの比較的平らなパネル表面を含む。図に示すように、範囲１３４および１３８は類似したサイズである。後方の範囲１３６および１３８は、幅においてわずかに大きい。
【００４９】
上面部１２０は、下方へ導かれたエルボーブローを受けるように好都合にも配置されて、パッドを入れられて、大きさを設定される。一般にそのような打撃を実践するアルティメット・ファイターのトレーニングを考慮に入れると、これは、好都合であると考えられる。下方へ導かれたエルボーブローを練習するこの機能は、それが前面部１２６と、２つの側面部１２８および１３０とのそれぞれに作成されるアッパーカット、強打およびフックの打撃を補足するので、好都合であると考えられる。
【００５０】
上面部１２０はまた、ヘッドレストとして機能し、それによって練習生は、あたかも他のボクサーの肩にもたれるように彼自体またはヘッドを上面部１２０にもたれる３０ことができる。これは、スパーリングまたは他の人とのボクシングのようにトレーニング・セッションの間にとるボクサーの現実的な位置を作るので、好都合であると考えられる。
【００５１】
図に示すように、上面部１２０は本質的に前面部１２６に対して垂直であり、平常位置にある場合、前面部１２６の方に下方へ水平に約４０°で配置される。
【００５２】
使用の間、第２の配置１０４と支持フレーム１０１との間の弾力的な連結は、衝撃を吸収して、回収方向に練習生の体を戻す。弾力的な連結はそれゆえに、刺激的かつ比較的現実的な経験を提供する一方で衝撃ストレスを減らすのに役立つ。第２の配置１０４への比較的活発な立て続けのパンチの間、パッドの配置１２１は１０ｃｍ以上動かないと推定される。
【００５３】
さらに、提供される動きは、表面１２６、１２８および１３０への左右のアッパーカット、強打およびフックと関連したストレスを減らす。アーム部材１２４は約１２°の角度で下方へ延長し、カンチレバーのように関連した方向で撓曲する。
【００５４】
配置において、アーム部材１２４のバネ部材は、下方へ導かれたエルボーブローが南北方向に撓曲し、強打およびフックが東西方向に撓曲する間、螺旋形のコイルバネの形で提供される。これは、好都合にも比較的現実的なボクシング経験を提供する。
【００５５】
加えて、練習生は背を曲げた位置まで屈曲することができ、そこで、第２の配置１０４は、同様の方法で屈んでいる対戦者のヘッドをシミュレーションすることができる。多くの場合、ヘッドおよびボディを腕およびグラブで保護するため、記載のようにボクサーは屈む。第２の配置１０４は、特にこの位置における打撃の練習に役立つ。
【００５６】
第２の配置１０４は、配置の端で第２の右範囲１３６と第１の左範囲１４０との間の方向において幅は約２６ｃｍである。前面部１２６と後面部１３２との間の第２の配置１０４の深さは、約２３ｃｍである。前面部１２６の長さは、類似したサイズである。
【００５７】
パッド１０８から１１４の場合、それらは個々に各々、別々のアーム部材１０３に取付けられる。パッド１０８から１１４は隣接していて、その間でグラブまたは拳が捕えられるのを防ぐ。各々のパッド１０８から１１４は、第２の配置１０４より上の集中した領域の方へ下方に導かれる。これは、ボクサーまたは練習生の手首、および、他の関節におけるストレスを減らすために好都合にも役に立つ。
【００５８】
装置１００のいずれかの側のパッド１０８およびパッド１１４の端部は、約７６ｃｍ離される。凹状形状の深さに関して、パッド１０８および１１４の端部は、パッド１１０および１１２の前から約１６ｃｍ離される。
【００５９】
図４に関して、パッド１１０および１１２は、それぞれアーム部材１５７およびアーム部材１５９に取付けられる。側面図において、これらのアーム部材１５７および１５９は、水平まで約６０°の角度で前方へ傾けられる。これは図３において、角度１６０として示される。
【００６０】
外側のパッド１０８および１１４は、側面図において水平まで約８°の角度でそれぞれアーム部材１６１およびアーム部材１６３に取付けられる。それらの平面のアーム部材１５７および１５９によって提供される内角は約２４°を含み、アーム部材１６１および１６３によって提供される内角は約７２°を含む。
【００６１】
図１を参照すると、第３の配置１０６は、第１のパッド１６７および第２のパッド１７０を含む。パッド１６７および１７０の外端部から、それらは約７６ｃｍにまたがり、約３４ｃｍ離される。第１のパッド１６７はアーム部材１７２に連結され、第２のパッド１７０はアーム部材１７６に連結される。
【００６２】
各々のパッド１６７および１７０は、それらが位置する垂直線も延長している平面に関して約１５°の角度で内側に曲がる。アーム部材１７２および１７６は、約５０°の内角を形成し、見えている側から水平の上に約１２°で傾けられる。相対的な大きさは、実用試作機のトレースされた写真を含む図面から写し取られる。しかしながら写真が取られた遠近法のために多少の許容が認められなければならない。
【００６３】
パッド１６７および１７０は、中央の位置の練習生またはボクサーの左右の強打を含む第１の一連の打撃を受けるために記載された方法で下方へ導かれる。すなわち、第１のパッド１６７が第１の一連のパッド１１１の部品を形成し、第２のパッド１７０が第２の一連のパッド１１３の部品を形成する。
【００６４】
異なる位置に立っていることによって、さらなるトレーニングの変化を提供するため、他のパンチのための第１および第２の一連のパッドを使用することもできることはいうまでもない。左にずれた位置において、練習生は右アッパーカットで第１のパッド１６７を打つことができ、右にずれた位置において、練習生は左アッパーカットで第２のパッド１７０を打つことができる。もちろん本体を配置することにより、練習生はまた、フックでパッド１６７および１７０を打つことができる。
【００６５】
図５を参照すると、本発明のさらに好ましい実施態様によるキック・パッド１７８が示される。キック・パッド１７８は、ポスト１４８および開口１８４を受けるための通路１８２を定める本体１８０を含み、それにより、横方向１８６でポスト１４８が通路にもたらされる。開口１８４は、弾力的であり、ポストが開口１８４によって通路１８２に押し込まれるのを可能にする発泡材料から形成される。ポストが通路１８２におかれたならば、開口１８４は、キック・パッド１７８に沿って延長するベルクロ材料（登録商標）のようなファスナを用いて閉じることができる。
【００６６】
図６および７は、本発明のトレーニング装置１００のさらなる実施態様を示す。図６および７のトレーニング装置１００は、追加の特徴を有して図１から５のそれに類似している。まず第３の配置１０６は、第３のパッド１９０を備える。第３のパッドは、第１および第２のパッド１６７および１７０の中間に位置し、スリーブ１４９に取付けられる。第３のパッド１９０は、胴の中央へのストレートの右または左を練習するために使われる。第３のパッド１９０はまた、プッシュキックを練習するためにキックボクサーによって使われる。この実施態様において、前面部の円柱形のキック・パッド１７８は、図６に示すように一部が切り取られる。これにより、キック・パッド１７８からの阻害なしでキックボクサーは第３のパッド１９０を蹴ることができる。
【００６７】
図６および７に示した実施態様において、アーム部材１０３は、支持フレーム１０１から取り付けおよび取り外し可能な部材を分離した部材として提供される。各々のアーム部材１０３はパッドから離れた端部で連結プレート１９２を備え、連結プレート１９２は、支持フレーム１０１に固定可能な固定ボルトをその中で受ける孔を有する。このようにして、繰り返しの使用によってアーム部材１０３の部品が損害を受けた場合に、そのアーム部材は、取り除かれ置き換えられる。
【００６８】
さらなる実施態様（図示せず）において、追加の後部のパッドは、第１および第３の配置１０２および１０６のパッドの裏に提供される。特に後部のパッドは、第１の配置１０２の第１および第４のパッド１０８および１１４と、第３の配置１０６の第１および第２のパッド１６７および１７０とに適合されて提供される。後部のパッドは一対の細長いパッドとして提供され、その対の１つは支持フレーム１０１で後部に固着し、第１の配置の第４のパッドと第３の配置の第２のパッドとにアーム部材に沿って外側に延長して、その対のもう１つは、支持フレーム１０１で後部に固着し、第１の配置の第１のパッドと第３の配置の第１のパッドとにアーム部材に沿って外側に延長する。後部のパッドは、キックボクサーがハイキックおよびミドルキックを練習することができるように提供される。
【００６９】
使用中に、ボクサーはトレーナに導かれるように一連のブローを導くためにトレーニング装置１００を使用することが予想される。トレーナは、アッパーカット、強打およびフックを中央に位置する配置に導き、オーバーハンド、ストレートおよびフックをその上に位置する配置に導くことができるボクサーの周りで動くことができる。第２の配置は、装置から離れない限り、ボクサーがガードを下げるのを好都合に防ぐ。装置は、パンチの組合せの力および頻度を計算するセンサと、所望のパンチの組合せを示すライトとを取り付けることができる。
【００７０】
加えて、記載されている態様および明瞭である他の態様において多くの好ましい特徴が存在すると見られる。例えば好ましくは、前面部は、装置が平常の状態にある時垂直線と関連して３０から４５°の間の角度に傾けられる。好ましくは、パッドの第２の配置は外面的に凸状であり、第２の左範囲は、前面部に約５０°で配置され、それから第１の左範囲に約５０°で配置され、それから第２の左範囲に約２０°で配置されて、第１の左範囲に約２０°で配置される。好ましくは、上面部は前面部に本質的に垂直に配置され、平常位置において、前面部の方に下方へ水平方向に関して約４０°で配置される。好ましくは、バネ部材は、比較的活発に各々の前面および２つの側面部を打つ場合、約１０ｃｍより少ないパッドの配置の偏差を提供するように配置される。好ましくは、打たれるパッドの配置は、前面部に沿って幅は約２０から３０ｃｍの間であり、第１および第２の表面で高さは１５から３０ｃｍの間である。
【００７１】
好ましくは、打たれる第２の配置１０４は、前面部と対向する後面部との間で深さ約２０から３０ｃｍの間にある。好ましくは、前面部は、長さ約１５から２５ｃｍの間で、幅約５から１５ｃｍの間の比較的平らなパネル表面を含む。好ましくは平常の状態において、アーム部材は、前面部から離れた方向において水平から約１５°下に延長するように配置される。好ましくは、パッドの配置の弧の端部は少なくとも６００ｍｍの深さで離され、その弧は少なくとも１００ｍｍの深さを有する。好ましくは、パッドの配置の弧の端部は約７５０ｍｍ離され、その弧は約１５０ｍｍの深さを有する。
【００７２】
本発明の基本的な発明の概念から逸脱することなく、すでに記載されたものに加えて前述の実施態様に様々な修正および改良がなされるのは、関連した技術の当業者にとって容易に明らかになる。したがって、本発明の範囲が記載された特定の実施態様に限定されないことはいうまでもない。
【図１】
0005605356.tif 000002
【図２】
0005605356.tif 000003
【図３】
0005605356.tif 000004
【図４】
0005605356.tif 000005
【図５】
0005605356.tif 000006
【図６】
0005605356.tif 000007
【図７】
0005605356.tif 000008